(57)【要約】【課題】スリープモード状態において、特別な操作をしなくても通常モードに復帰させることができ、迅速に撮影が再開できるデジタルカメラを得る。【解決手段】デジタルカメラ１０は、所定時間非操作状態が継続された場合に、予め定めた所定の電気部品への電力供給を停止し、デジタルカメラ１０本体に付属する操作部３４の操作を実行するために必須の外的なエネルギーが所定値に達した場合に前記スリープモードから全ての電気部品に電力を供給する通常モードに移行する。【選択図】　図１
2004120204.tif 000002
【特許請求の範囲】
【請求項１】
撮像部により被写体像を撮像し、撮像によって得られた画像情報を所定の記録媒体へ記録するデジタルカメラであって、
所定時間非操作状態が継続された場合に、予め定めた所定の電気部品への電力供給を停止するスリープモードに移行するスリープモード移行手段と、
前記デジタルカメラ本体に付属する操作部の操作を実行するために必須の外的なエネルギーを感知するエネルギー感知手段と、
エネルギー感知手段で感知したエネルギーが所定値に達した場合に前記スリープモードから全ての電気部品に電力を供給する通常モードに移行する通常モード移行手段と、
を備えたデジタルカメラ。
【請求項２】
前記エネルギー感知手段は、振動センサであり、前記カメラを所定時間静止させたときに前記スリープモードに移行し、スリープモード中に振動センサで振動を検出したときに通常モードに復帰することを特徴とする請求項１に記載のデジタルカメラ。
【発明の詳細な説明】
【０００１】
【発明の属する技術分野】
本発明は、撮像部により被写体像を撮像し、撮像によって得られた画像情報を所定の記録媒体へ記録するデジタルカメラに関する。
【０００２】
【従来の技術及び発明が解決しようとする課題】
デジタルカメラでは、ユーザの操作によって電源がオンされたとき、撮像により被写体像を示す画像情報を取得する撮像部、取得した画像情報によって示される被写体像を表示するための表示部、デジタルカメラ全体を制御する制御部等の各部に駆動用の電源が供給されるようになっている。なお、ユーザの操作によって電源がオフされたときには、デジタルカメラの各部への駆動用の電源の供給が停止される。
【０００３】
ここで、デジタルカメラにおいては、無駄な電力の消費を防止するために、電源がオンされかつ操作されない状態が所定時間継続された場合には、自動的に予め定められた部品への駆動用の電源の供給を停止することで、省電力化を図っている（スリープモード）。また、自動的に駆動用の電源の供給が停止された後、電源をオンすると、デジタルカメラの各部への電源の供給が再開される（通常モード）。
【０００４】
上記の場合、通常モードに復帰するときに、電源オン操作が必要となり、操作性が悪い。スリープモードから自動的に通常モードへ復帰する技術として、銀鉛写真フィルムを使用するカメラに銀鉛写真フィルムを収容するパトローネの形状の撮像装置を装着して電子カメラとして使用する際に、撮像装置でカメラの操作音、操作振動等を検出して、検出時に撮像装置の電源をオンする技術がある（例えば、特許文献１参照）。
【０００５】
この技術では、撮像系のみの電源を対象としており、一般的なデジタルカメラに適用すると、被写体像のアングルの決定や合焦、及び撮影を実行するためには駆動系へ電源が供給されている必要がある。
【０００６】
一方、自動的にスリープモードから復帰する技術として、ホストシステムに接続されると共に、ホストシステムから電源が供給されるマウスにおいて、マウス本体に振動センサを設け、マウスの振動を検出するとマウスが操作されたと判断し、マウスの移動量を検出する光センサへの電源の供給を再開してスリープモードから復帰する技術がある（例えば、特許文献２参照）。すなわち、この技術によれば、スリープモードの状態であるマウスを移動させる操作のうち、初期の操作を無効とすることでスリープモードを解除している。
【０００７】
この技術をデジタルカメラに適用すると、初期の操作が無効になるため、スリープモードを解除するためのボタン等の操作が必要である。
【０００８】
しかし、デジタルカメラの電源をオンした状態でシャッターチャンスを待って暫く放置した後、撮影を再開しようとすると、電源をオンするための所定の操作をしているうちにシャッターチャンスを逃してしまうという問題がある。
【０００９】
本発明は、上記事実を考慮し、スリープモード状態において、特別な操作をしなくても通常モードに復帰させることができ、迅速に撮影が再開できるデジタルカメラを提供することが目的である。
【００１０】
【特許文献１】
特開２０００−１２５１７２公報
【特許文献２】
特開平１１−２４２５６０号公報
【００１１】
【課題を解決するための手段】
上記の目的を達成するために、請求項１に記載の発明は、撮像部により被写体像を撮像し、撮像によって得られた画像情報を所定の記録媒体へ記録するデジタルカメラであって、所定時間非操作状態が継続された場合に、予め定めた所定の電気部品への電力供給を停止するスリープモードに移行するスリープモード移行手段と、前記デジタルカメラ本体に付属する操作部の操作を実行するために必須の外的なエネルギーを感知するエネルギー感知手段と、エネルギー感知手段で感知したエネルギーが所定値に達した場合に前記スリープモードから全ての電気部品に電力を供給する通常モードに移行する通常モード移行手段と、を備えたものである。
【００１２】
請求項１に記載の発明によれば、所定時間非操作状態が継続された場合に、スリープモード移行手段によって予め定めた所定の電気部品への電力供給を停止するスリープモードに移行され、デジタルカメラ本体に付属する操作部の操作を実行するために必須の外的なエネルギーが感知手段によって感知され、エネルギー感知手段で感知されたエネルギーが所定値に達した場合に、通常モード移行手段によって前記スリープモードから全ての電機部品に電力を供給する通常モードに移行される。
【００１３】
このように、請求項１に記載の発明によれば、所定時間非操作状態が継続された場合に、予め定めた所定の電気部品への電力供給を停止し、デジタルカメラ本体に付属する操作部の操作を実行するために必須の外的なエネルギーが所定値に達した場合に前記スリープモードから全ての電気部品に電力を供給する通常モードに移行するようにしているので、スリープモード状態において、特別な操作をしなくても通常モードに復帰させることができ、迅速に撮影が再開できる。
【００１４】
なお、デジタルカメラ本体に付属する操作部の操作を実行するために必須の外的エネルギーとしては、ユーザがデジタルカメラを構えたり、デジタルカメラを把持したり、レリーズボタンに指をかけたりという動作によってデジタルカメラに与えられるエネルギーがある。
【００１５】
そこで、請求項２に記載の発明は、前記エネルギー感知手段は、振動センサであり、前記カメラを所定時間静止させたときに前記スリープモードに移行し、スリープモード中に振動センサで振動を検出したときに通常モードに復帰することを特徴としている。
【００１６】
請求項２に記載の発明によれば、前記カメラを所定時間静止させたときに前記スリープモードに移行し、スリープモード中に上記操作を実行するための動作がなされると、デジタルカメラ１０が振動し、振動センサで振動が検出されたときに通常モードに復帰する。
【００１７】
なお、振動を検出する振動センサとしては、フェライトやセラミックス（加速度センサ）等を適用することができる。
【００１８】
また、外的なエネルギーを感知する感知手段としては、振動センサの他に、サーミスタ、感温抵抗、焦電型赤外線センサ、フォトダイオード、感温フェライト等の温度センサや、導電性ゴム、静電容量センサ等の接触覚センサを適用できる。
【００１９】
また、振動、温度及び接触の少なくとも１つを感知するよう構成しても、デジタルカメラ本体に付属する操作部の操作が実行されることを感知することができる。
【００２０】
【発明の実施の形態】
（第１の実施の形態）
以下、図面を参照して、本発明の第１の実施の形態について詳細に説明する。なお、本実施の形態では、本発明のデジタルカメラを、デジタルスチルカメラ（以下、単に「デジタルカメラ」という。）に適用した場合の形態について説明する。まず、図１を参照して、本実施の形態に係るデジタルカメラ１０の外観上の構成を説明する。
【００２１】
同図に示すように、デジタルカメラ１０の正面には、被写体像を結像させるためのレンズ１２が備えられており、デジタルカメラ１０の上面には、撮影を実行する際にユーザによって押圧操作されるレリーズボタン（所謂シャッター）３２が備えられている。
【００２２】
なお、本実施の形態に係るレリーズボタン３２は、中間位置まで押下される状態（以下、「半押し状態」という。）と、当該中間位置を超えた最終押下位置まで押下される状態（以下、「全押し状態」という。）と、の２段階の押圧操作が可能なように構成されている。
【００２３】
また、本実施の形態に係るデジタルカメラ１０は、静止画像の撮影の他、動画像の撮影も行うことができるように構成されており、静止画像の撮影を行う際には、レリーズボタン３２を半押し状態にすることによりＡＥ（Ａｕｔｏｍａｔｉｃ　Ｅｘｐｏｓｕｒｅ、自動露出）機能が働いて露出状態（シャッタースピード、絞りの状態）が設定された後、ＡＦ（Ａｕｔｏ　Ｆｏｃｕｓ、自動合焦）機能が働いて合焦制御され、その後、引き続き全押し状態にすると露光（撮影）が行われる。
【００２４】
これに対し、動画像の撮影を行う際には、レリーズボタン３２を全押し状態とすることによって動画像の撮影が開始され、レリーズボタン３２の押下状態を一旦未押下位置まで戻した後、再度全押し状態とすることによって当該動画像の撮影が停止されるように構成されている。このように、本実施の形態に係るデジタルカメラ１０では、動画像の撮影を開始するときにレリーズボタン３２を全押し状態とし、当該撮影を停止するときに再度レリーズボタン３２を全押し状態とするものであるが、これに限らず、レリーズボタン３２を全押し状態としている期間中に動画像の撮影を行う形態とすることもできる。
【００２５】
一方、デジタルカメラ１０の背面には、主として撮影する被写体の構図を決定するために用いられるエレクトロニック・ビュー・ファインダ（以下、「ＥＶＦ」という。）５０と、撮影によって得られたデジタル画像データにより示される被写体像や各種メニュー画面、メッセージ等を表示するための液晶ディスプレイ（以下、「ＬＣＤ」という。）４６と、各種メニュー画面をＬＣＤ４６に表示させるときに押圧操作されるメニューボタン３４Ａと、ＬＣＤ４６の表示内容から所望のものを指定するために押圧操作される２つのセレクトボタン３４Ｂ及び３４Ｃと、主としてセレクトボタン３４Ｂ及び３４Ｃによる指定結果を確定するときに押圧操作される決定ボタン３４Ｄと、が備えられている。
【００２６】
また、デジタルカメラ１０の内部には、各部に駆動用の電力を供給する電源供給部５４（図２参照、図１では図示省略）及び振動センサ４０が内臓されている。振動センサ４０はデジタルカメラ１０が外部からの影響により動かされている場合に生じる本体の振動を検出するものであり、フェライト、加速度センサー等を適用することができる。
【００２７】
なお、電源供給部５４としては、ニッケルカドミウム電池、ニッケル水素電池、リチウムイオン電池等に代表される充電可能な二次電池及びマンガン電池、アルカリ電池等の充電できない一次電池を適用することができる。
【００２８】
次に、図２を参照して、本第１の実施の形態に係るデジタルカメラ１０の電気系の構成を説明する。
【００２９】
同図に示すように、デジタルカメラ１０は、前述のレンズ１２と、レンズ１２の光軸後方に配設されたＣＣＤ（Ｃｈａｒｇｅ　Ｃｏｕｐｌｅｄ　Ｄｅｖｉｃｅ）１４と、相関二重サンプリング回路（以下、「ＣＤＳ」という。）１６と、入力されたアナログ画像信号をデジタル画像データに変換するアナログ／デジタル変換器（以下、「ＡＤＣ」という。）１８と、デジタルカメラ１０全体の動作を司るマイクロ・コンピュータ（以下、「マイコン」という。）２０と、所定容量のラインバッファを内蔵すると共に入力されたデジタル画像データに対して所定のデジタル信号処理を施す一方、ＬＣＤ４６及びＥＶＦ５０に対する表示動作を司るＤＳＰ（Ｄｉｇｉｔａｌ　Ｓｉｇｎａｌ　Ｐｒｏｃｅｓｓｏｒ）で構成された信号処理回路２２と、主として撮影により得られたデジタル画像データを記憶するＳＤＲＡＭ（Ｓｙｎｃｈｒｏｎｏｕｓ　Ｄｙｎａｍｉｃ　Ｒａｎｄｏｍ　Ａｃｃｅｓｓ　Ｍｅｍｏｒｙ）により構成されたメモリ２６と、ＣＣＤ１４を駆動させるための駆動信号を生成するＣＣＤ駆動部２８と、ＣＤＳ１６、信号処理回路２２、ＣＣＤ駆動部２８等の各部に対し必要とされるタイミング信号を供給するタイミング信号発生部３０と、を含んで構成されている。
【００３０】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３１】
ＣＣＤ１４の出力端子はＣＤＳ１６の入力端子に、ＣＤＳ１６の出力端子はＡＤＣ１８の入力端子に、ＡＤＣ１８の出力端子は信号処理回路２２の入力端子に、各々接続されている。また、信号処理回路２２はマイコン２０及びデータバスＢＵＳの各々と接続されており、メモリ２６もデータバスＢＵＳと接続されている。更に、マイコン２０はタイミング信号発生部３０の入力端子に、タイミング信号発生部３０の出力端子はＣＤＳ１６、信号処理回路２２、ＣＣＤ駆動部２８等の入力端子に、ＣＣＤ駆動部２８の出力端子はＣＣＤ１４の入力端子に、各々接続されている。
【００３２】
そして、信号処理回路２２によるデジタル信号処理の一部はマイコン２０による制御に応じて実行され、タイミング信号発生部３０による各種タイミング信号の発生も、マイコン２０による制御に応じて実行される。
【００３３】
また、デジタルカメラ１０には、データバスＢＵＳに接続された外部インタフェース（以下、「外部Ｉ／Ｆ」という。）２４が内蔵されており、外部Ｉ／Ｆ２４は、デジタルカメラ１０にスマート・メディア、ＩＣカード、ＣＤ−Ｒ、ＣＤ−ＲＷ等の可搬型の記録メディア５２が装着された状態において、当該記録メディア５２に対するアクセスを司ると共に、その他のデジタル情報の外部との間の入出力を司る。
【００３４】
また、前述のレリーズボタン３２と、メニューボタン３４Ａ、セレクトボタン３４Ｂ、３４Ｃ、及び決定ボタン３４Ｄ（同図では、「操作部３４」と総称。）はマイコン２０に接続されており、マイコン２０は、これらのボタン類に対する操作状態を常時把握することができる。
【００３５】
一方、デジタルカメラ１０には、入力端子が信号処理回路２２に、出力端子がビデオ出力端子３８に、各々接続されると共に、撮影によって得られたデジタル画像データにより示される画像を示す映像信号を生成するビデオインタフェース（以下、「ビデオＩ／Ｆ」という。）３６が内蔵されている。従って、本実施の形態に係るデジタルカメラ１０では、撮影によって得られた画像を示す映像信号をビデオ出力端子３８を介して外部に出力することができる。
【００３６】
また、信号処理回路２２は、ＬＣＤ駆動回路４４を介して前述のＬＣＤ４６と接続されると共に、ＥＶＦ駆動回路４８を介して前述のＥＶＦ５０と接続されており、マイコン２０は、信号処理回路２２を介したＬＣＤ駆動回路４４及びＥＶＦ駆動回路４８への制御により、ＬＣＤ４６及びＥＶＦ５０の何れか一方に対して選択的に各種情報を表示することができる。
【００３７】
さらに、電源供給部５４及び振動センサ４０はマイコン２０に接続されており、マイコン２０はデジタルカメラ１０の振動の状態によりデジタルカメラ１０の状態を把握し、電源供給部５４を制御するようになっており、必要な部品に必要なだけ駆動用の電源を供給する。
【００３８】
ここで、デジタルカメラ１０では、消費電力に関する動作モードとして、消費電力を極力抑える省電力モードが設定可能となっており、省電力モードでは、所定時間操作されない場合、電源供給に関するモードを所定の部品への電源の供給を停止するスリープモードに移行する。本実施の形態では、スリープモードに移行した後、所定条件により自動的にスリープモードを解除して電源供給を再開する（通常モードに移行する）自己復帰方法と、ユーザの所定の操作によりスリープモードを解除して電源供給を再開する（通常モードに移行する）通常復帰方式と、の２つの方式が用意されており、ユーザは所望の方式をＬＣＤ４６に表示された後述する復帰方式選択画面（図４参照）上で選択することにより当該方式をデジタルカメラ１０に実行させることができる。
【００３９】
マイコン２０が本発明のスリープモード移行手段及び通常モード移行手段に、振動センサ４０が本発明のエネルギー感知手段に、各々相当する。
【００４０】
次に、本第１の実施の形態に係るデジタルカメラ１０の作用を説明する。まず、デジタルカメラ１０の撮影時における全体的な処理の流れについて簡単に説明する。
【００４１】
ＣＣＤ１４から出力された被写体像を示す信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して信号処理回路２２に出力する。
【００４２】
信号処理回路２２は内蔵しているラインバッファにＡＤＣ１８から順次入力されるデジタル画像データを蓄積して一旦メモリ２６に格納する。
【００４３】
メモリ２６に格納されたデジタル画像データは、マイコン２０による制御下で信号処理回路２２によって読み出され、これらに光源種に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を再びメモリ２６に格納する。
【００４４】
なお、ＬＣＤ４６は、ＣＣＤ１４による連続的な撮像によって得られた動画像（スルー画像）を表示してファインダとして使用することができるものとして構成されているが、このようにＬＣＤ４６をファインダとして使用する場合には、生成したＹＣ信号を、信号処理回路２２及びＬＣＤ駆動回路４４を介して順次ＬＣＤ４６に出力する。これによってＬＣＤ４６にスルー画像が表示されることになる。
【００４５】
ここで、ユーザにより静止画像の撮影が設定されているときには、レリーズボタン３２がユーザによって全押し状態とされたときに、この時点でメモリ２６に格納されているＹＣ信号を、不図示の圧縮・伸張部によって所定の圧縮形式（本実施の形態では、ＪＰＥＧ形式）で圧縮した後に外部Ｉ／Ｆ２４を介して記録メディア５２に記録する。
【００４６】
また、ユーザにより動画像の撮影が設定されているときには、レリーズボタン３２が全押し状態とされた時点から次にレリーズボタン３２が全押し状態とされる時点までの期間、すなわち動画像の撮影を行っている期間において、所定期間（本実施の形態では、１／３０秒（０．０３３・・・秒））毎に、メモリ２６に格納されているＹＣ信号を、不図示の圧縮・伸張部によって所定の圧縮形式（本実施の形態では、Ｍｏｔｉｏｎ　ＪＰＥＧ形式）で圧縮した後に外部Ｉ／Ｆ２４を介して記録メディア５２に記録する。従って、本実施の形態に係るデジタルカメラ１０で動画像の撮影を行うときには、３０フレーム／秒の動画像を記録メディア５２に記録することができる。
【００４７】
次に、図３を参照して本第１の実施の形態に係る省電力処理について説明する。なお、図３は、図示しないメニュー画面で省電力モードが選択されるとマイコン２０が実行する省電力処理プログラムの処理の流れを示すフローチャートである。
【００４８】
同図のステップ１００では、予め定められた上述の復帰方式を選択するための選択画面がＬＣＤ４６に表示されるようにＬＣＤ駆動回路４４を制御し、次のステップ１０２で所定情報の入力待ちを行う。
【００４９】
図４には、上記ステップ１００の処理によってＬＣＤ４６に表示される復帰方式選択画面が示されている。同図に示すように、本実施の形態における復帰方式選択画面では、希望する方式の選択を促す旨のメッセージが表示されると共に、選択可能な方式として、「自己復帰方式」と「通常復帰方式」の２種類の方式の名称が表示される。
【００５０】
図４に示すような復帰方式選択画面がＬＣＤ４６に表示されると、ユーザは、セレクトボタン３４Ｂ、３４Ｃの操作によって所望の処理を指定した後、決定ボタン３４Ｄを操作する。これに応じて、マイコン２０には決定ボタン３４Ｄが操作された旨を示す情報が入力され、上記ステップ１０２が肯定判定となってステップ１０４に移行する。なお、図４では、ユーザによって自己復帰方式が選択されている状態が示されている。
【００５１】
ステップ１０４では、ユーザによって選択された復帰方式が通常復帰方式であったか否かを判定し、否定判定の場合は、ステップ１０６に移行して自己復帰方式による省電力処理（自己復帰省電力処理）を実行した後本省電力処理を終了する。一方、ステップ１０４で肯定判定の場合はステップ１０８に移行して通常復帰方式による省電力処理（通常復帰省電力処理）を実行した後、本省電力処理を終了する。
【００５２】
次に、図５を参照して、上記自己復帰省電力処理について説明する。なお、図５は、省電力処理において、復帰方式として自己復帰方式が選択された場合にマイコン２０が実行する自己復帰省電力処理プログラムの処理の流れを示すフローチャートである。
【００５３】
同図のステップ１１０では、時間を計時するタイマをリセットした後、ステップ１１２に移行して計時時間が所定時間を超えたか否かを判定する。なお、所定時間はデジタルカメラ１０をユーザが使用している場合に、デジタルカメラ１０が静止し続ける可能性のある時間よりも充分に長く設定されている。
【００５４】
ステップ１１２で否定判定の場合はステップ１１４に移行して振動センサ４０から出力された振動レベルが所定の振動レベルを超えているか否かを判定する。なお、上記所定の振動レベルとして、デジタルカメラを使用する際に生じる振動のレベルを測定することを複数人に対して行い、その平均の振動のレベルを適用している。すなわち、デジタルカメラ１０が所定の振動レベルを超える振動レベルで振動しているときはデジタルカメラ１０が操作されていると判断することができ、デジタルカメラ１０が振動していないときや、所定の振動レベル以下の振動レベルで振動しているときはデジタルカメラ１０が操作されていないと判断することができる。
【００５５】
ステップ１１４で否定判定の場合は、ステップ１１２に戻り、計時時間が所定時間を超えたか否かを判定する。当該判定が肯定判定である場合は、デジタルカメラ１０が使用されていないと判断し、ステップ１１６を実行する。ステップ１１６では、予め定めた部品への駆動用の電源の供給を停止するスリープモードに移行する。
【００５６】
ここで、本実施の形態では、スリープモードにおいて、マイコン２０にだけ電源供給部５４から駆動用の電源を供給すると共に、マイコン２０のクロック周波数を通常よりも遅く（通常の１／２）するようにしている。これにより、デジタルカメラ１０の消費電力を低減させ、省電力化を図っている。
【００５７】
一方、ステップ１１４で肯定判定の場合は、デジタルカメラ１０はユーザによって使用されていると判断してステップ１１８に移行する。
【００５８】
ステップ１１８では、スリープモードに移行中であればスリープモードを解除（通常モードに移行）して各部への駆動用の電源の供給を開始し、スリープモードに移行していなければ各部への駆動用の電源の供給（通常モード）を継続して本自己復帰省電力処理を終了する。
【００５９】
一方、上記省電力処理において、復帰方式として通常復帰方式が選択された場合に実行される通常復帰省電力処理では、デジタルカメラ１０がユーザによって操作がされない状態が所定時間継続するとスリープモードに移行し、スリープモードに移行中にユーザによってデジタルカメラ１０が操作されるとスリープモードを解除（通常モードに移行）するようにしており、図５におけるステップ１１４の処理に代えて、操作部３４からの操作信号が入力されたか否かを判定する。なお、通常復帰省電力処理については従来と同様であるので、処理の流れの図示を省略する。
【００６０】
以上詳細に説明したように、本第１の実施の形態に係るデジタルカメラ１０は、所定時間非操作状態が継続された場合に、予め定めた所定の電気部品への電力供給を停止し、デジタルカメラ１０本体に付属する操作部３４の操作を実行するために必須の外的なエネルギーが所定値に達した場合に前記スリープモードから全ての電気部品に電力を供給する通常モードに移行するようにしているので、スリープモード状態において、特別な操作をしなくても通常モードに復帰させることができ、迅速に撮影が再開できる。
【００６１】
また、振動センサ４０によってデジタルカメラ１０の振動を感知するようにしているので、デジタルカメラ１０本体に付属する操作部３４の操作が実行されることを感知することができる。
【００６２】
なお、本第１の実施の形態では、デジタルカメラ本体に付属する操作部の操作を実行するために必須の外的エネルギーとして、ユーザがデジタルカメラを構えたり、持ち上げたりする動作によってデジタルカメラ１０に与えられるエネルギーを感知するものとし、これらの動作によるデジタルカメラ１０の振動を検出する実施の形態について説明したが、本発明はこれに限られるものではなく、ユーザがデジタルカメラを把持する行為の他、レリーズボタンに指をかけたりという動作によってデジタルカメラ１０に与えられるエネルギーを感知することも考えられる。また、これらの動作によるエネルギーとしては、ユーザがデジタルカメラ１０を把持することでデジタルカメラ１０本体に生じる温度変化や、デジタルカメラ１０への接触が挙げられる。
【００６３】
（第２の実施の形態）
上記第１の実施の形態では、デジタルカメラ１０の操作状態及び非操作状態を検出するために、デジタルカメラ１０の内部に振動センサ４０を設けた形態について説明したが、本第２の実施の形態では、デジタルカメラ１０の操作状態及び非操作状態を検出するために、デジタルカメラ１０の内部に振動センサ４０及び静電容量センサ４２を設けた形態について説明する。なお、本第２の実施の形態に係るデジタルカメラの構成において、上記第１の実施の形態に係るデジタルカメラ１０の構成と同一の構成については同一の符号を付してその説明を省略する。
【００６４】
図６（Ａ）に示されるように、本第２の実施の形態に係るデジタルカメラ１０の内部には、振動センサ４０と共に、感知部４３（図６（Ｂ）も参照）への物体の接触を感知する静電容量センサ４２が内蔵されている。なお、静電容量センサ４２は、感知部４３が押圧されると、当該押圧量に応じた電気信号を出力するようになっている。
【００６５】
図７に示すように、静電容量センサ４２は振動センサ４０と同様にマイコン２０に接続され、マイコン２０は振動センサ４０及び静電容量センサ４２の出力信号に基づいて、デジタルカメラ１０が振動しかつデジタルカメラ１０にユーザが接触している場合にデジタルカメラ１０が操作されていると判断するようになっている。
【００６６】
マイコン２０が本発明のスリープモード移行手段及び通常モード移行手段に、振動センサ４０及び静電容量センサ４２が本発明のエネルギー感知手段に、各々相当する。
【００６７】
次に、図８を参照して、本第２の実施の形態に係るデジタルカメラ１０で実行される自己復帰省電力処理について説明する。なお、図８は、マイコン２０が実行する省電力処理において、復帰方式選択画面で自己復帰方式が選択された場合にマイコン２０で実行される自己復帰省電力処理プログラムの処理の流れを示すフローチャートであり、図５と同一の処理を行うステップには図５と同一のステップ番号を付して、その説明を省略する。
【００６８】
図８に示すように、本第２の実施の形態に係る自己復帰省電力処理は、図５におけるステップ１１４の処理に代えてステップ１２２及びステップ１２４の処理を適用している点のみが上記第１の実施の形態に係る自己復帰省電力処理と異なっている。
【００６９】
同図のステップ１２２では、振動センサ４０で検出された振動レベルが所定の振動レベルを超えているか否かを判定する。なお、上記所定の振動レベルとして、デジタルカメラを使用する際に生じる振動のレベルを測定することを複数人に対して行い、その平均の振動のレベルを適用している。すなわち、デジタルカメラ１０が所定の振動レベルを超える振動レベルで振動しているときはデジタルカメラ１０が操作されていると判断することができ、デジタルカメラ１０が振動していないときや、所定の振動レベル以下の振動レベルで振動しているときはデジタルカメラ１０が操作されていないと判断することができる。
【００７０】
ステップ１２２で肯定判定の場合は、ステップ１２４に移行して、静電容量センサ４２から出力された電気信号に基づく押圧量が所定量を超えているか否かを判定する。なお、本第２の実施の形態では、上記所定量として、デジタルカメラ１０を把持した場合の押圧量、複数人に対してデジタルカメラ１０を把持した場合の押圧量を計測し、その中で最低の押圧量を適用している。すなわち、デジタルカメラ１０の押圧量が所定量を超えている場合はデジタルカメラ１０がユーザによって把持されている状態であると判断することができる。
【００７１】
ステップ１２４で否定判定の場合は、デジタルカメラ１０の振動は、ユーザの手でデジタルカメラ１０を動かすことにより発生したものではなく、操作部３４の操作を実行するための振動ではないと判断し、ステップ１１２に戻る。
【００７２】
また、ステップ１２２で否定判定の場合はデジタルカメラ１０が操作されていない状態であると判断してステップ１１２に戻り、計時時間が所定時間を超えているときはスリープモードで動作（予め定めた部品への駆動用の電源の供給を停止）し、計時時間が所定時間を超えていないときは各部への駆動用の電源の供給（通常モード）を継続する。
【００７３】
一方、ステップ１２４で肯定判定の場合はステップ１１８に移行して、スリープモードに移行中であればスリープモードが解除されて（通常モードに移行して）各部への駆動用の電源の供給が開始され、スリープモードに移行していなければ各部への駆動用の電源の供給（通常モード）を継続して本自己復帰省電力処理を終了する。
【００７４】
以上詳細に説明したように、本第２の実施の形態では、上記第１の実施の形態の構成に加え、さらに静電容量センサ４２を備えており、デジタルカメラ１０の振動及び接触を感知するようにしているので、デジタルカメラ１０本体に付属する操作部３４の操作が実行されることを感知することができる。
【００７５】
なお、本第２の実施の形態では、静電容量センサ４２の感知部４３をデジタルカメラ１０の上部に設けた構成について説明したが、感知部４３を設ける位置及び感知部４３の形状はこれに限らず、デジタルカメラ１０の操作が実行される場合にユーザが接触すると考えられる位置であればよく、また、感知部３４を複数設けることも考えられる。
【００７６】
また、本第２の実施の形態では、振動及び接触を感知する構成について説明したが、本発明はこれに限られるものではなく、振動と温度、温度と接触、を組み合わせて検出することで操作が実行されることを感知するように構成してもよいし、振動、温度及び接触の全てを検出することで操作が実行されることを感知するように構成してもよい。これらの場合にも本第２の実施の形態と同様の効果を奏することができる。
【００７７】
さらに、本発明において、振動を検出するエネルギー感知手段としては、フェライトやセラミックス（加速度センサ）等の振動センサを、温度を検出する感知手段としては、サーミスタ、感温抵抗、焦電型赤外線センサ、フォトダイオード、感温フェライト等の温度センサを、接触を検出するエネルギー感知手段としては、導電性ゴム、静電容量センサ等の接触覚センサを適用できる。
【００７８】
【発明の効果】
以上説明したように、本発明に係るデジタルカメラによれば、所定時間非操作状態が継続された場合に、予め定めた所定の電気部品への電力供給を停止し、デジタルカメラ本体に付属する操作部の操作を実行するために必須の外的なエネルギーが所定値に達した場合に前記スリープモードから全ての電気部品に電力を供給する通常モードに移行するようにしているので、スリープモード状態において、特別な操作をしなくても通常モードに復帰させることができ、迅速に撮影が再開できる、という効果が得られる。
【図面の簡単な説明】
【図１】第１の実施の形態に係るデジタルカメラの外観を示す斜視図である。
【図２】第１の実施の形態に係るデジタルカメラの電気系の構成を示すブロック図である。
【図３】実施の形態に係る省電力処理の流れを示すフローチャートである。
【図４】省電力処理においてＬＣＤ４６に表示される復帰方式選択画面の一例を示す図である。
【図５】第１の実施の形態に係る省電力処理で実行される自己復帰省電力処理の流れを示すフローチャートである。
【図６】第２の実施の形態に係るデジタルカメラの（Ａ）は外観を示す斜視図であり、（Ｂ）は静電容量センサとその感知部を示す斜視図である。
【図７】第２の実施の形態に係るデジタルカメラの電気系の構成を示すブロック図である。
【図８】第２の実施の形態に係る省電力処理で実行される自己復帰省電力処理の流れを示すフローチャートである。
【符号の説明】
１０　　デジタルカメラ
２０　　マイコン（スリープモード移行手段、通常モード移行手段）
４０　　振動センサ（エネルギー感知手段）
４２　　静電容量センサ（エネルギー感知手段）
５４　　電源供給部
【図１】
2004120204.tif 000003
【図２】
2004120204.tif 000004
【図３】
2004120204.tif 000005
【図４】
2004120204.tif 000006
【図５】
2004120204.tif 000007
【図６】
2004120204.tif 000008
【図７】
2004120204.tif 000009
【図８】
2004120204.tif 000010